(57)【要約】      （修正有）【課題】画像表示装置の近くに人が存在するか否かに応じて、該画像表示装置に表示する内容を自動で選択し、切り替えて表示することができる画像表示装置を提供する。【解決手段】画像表示装置は、画像に含まれる部分領域を認識し、認識された部分領域の表示設定を決定する。また、画像表示装置は、画像表示装置の近くに人が存在するか否かを検知し、検知された結果に応じて、表示設定に基づいてコンテンツの概要を示す部分領域を表示するか、詳細な内容を示す部分領域を表示するかを切り替える。【選択図】図１０
2017037159.tif 000002
【特許請求の範囲】
【請求項１】
画像表示装置であって、
画像に含まれるオブジェクトを認識する認識手段と、
前記認識されたオブジェクトの表示に関する属性を決定する決定手段と、
前記画像表示装置の近くに人が存在するか否かを検知する検知手段と、
前記検知された結果に応じて、前記表示に関する属性に基づいて前記画像表示装置に表示するオブジェクトを切り替えて表示する表示制御手段と、を備える
ことを特徴とする画像表示装置。
【請求項２】
前記決定手段は、前記オブジェクトの表示に関する属性として、少なくとも表示可否、拡大率、コンテンツの概要を示すか詳細な内容を示すかに関する表示種類、及び表示時間を決定する
ことを特徴とする請求項１に記載の画像表示装置。
【請求項３】
前記表示制御手段は、前記検知手段が前記画像表示装置の近くに人が存在すると検知した場合に、前記表示種類が詳細な内容を示すと決定したオブジェクトのみを表示し、
前記表示制御手段は、前記検知手段が前記画像表示装置の近くに人が存在すると検知しない場合に、前記表示種類が概要を示すと決定したオブジェクトのみを表示する、
ことを特徴とする請求項２に記載の画像表示装置。
【請求項４】
前記決定手段は、前記認識手段が前記オブジェクトをヘッダ、またはフッタであると認識した場合に、該オブジェクトの表示可否を否と決定し、
前記表示制御手段は、前記表示可否が否のオブジェクトは表示しない
ことを特徴とする請求項２または３に記載の画像表示装置。
【請求項５】
前記決定手段は、前記認識手段が前記オブジェクトに文字が含まれていると認識した場合に、
該文字のサイズが所定の大きさ以上の場合に、該オブジェクトの表示種類が概要を示すと決定し、
該文字のサイズが所定の大きさ未満の場合に、該オブジェクトの表示種類が詳細な内容を示すと決定する、
ことを特徴とする請求項２ないし４のいずれか１項に記載の画像表示装置。
【請求項６】
前記決定手段は、前記認識手段が前記オブジェクトに文字が含まれていないと認識した場合に、
該オブジェクトの拡大率が所定の値以上の場合に、該オブジェクトの表示種類が概要を示すと決定し、
該オブジェクトの拡大率が所定の値未満の場合に、該オブジェクトの表示種類が詳細な内容を示すと決定する、
ことを特徴とする請求項２ないし５のいずれか１項に記載の画像表示装置。
【請求項７】
前記決定手段は、前記オブジェクトを前記画像表示装置に表示する際の表示時間を、前記拡大率が大きいほど短い時間に決定する
ことを特徴とする請求項２ないし６のいずれか１項に記載の画像表示装置。
【請求項８】
前記決定手段は、前記オブジェクトを前記画像表示装置に表示する際の表示時間を、該オブジェクトの表示種類が概要を示す場合に、詳細な内容を示す場合よりも表示時間を短い時間に決定する
ことを特徴とする請求項２ないし７のいずれか１項に記載の画像表示装置。
【請求項９】
前記検知手段は、所定の検知範囲内に一定時間を超えて人が存在する場合に、前記画像表示装置の近くに人が存在すると判断する
ことを特徴とする請求項１ないし８のいずれか１項に記載の画像表示装置。
【請求項１０】
画像に含まれるオブジェクトを認識する認識工程と、
前記認識されたオブジェクトの表示に関する属性を決定する決定工程と、
画像表示装置の近くに人が存在するか否かを検知する検知工程と、
前記検知された結果に応じて、前記表示に関する属性に基づいて前記画像表示装置に表示するオブジェクトを切り替えて表示する表示制御工程と、を有する
ことを特徴とする画像表示方法。
【請求項１１】
請求項１０に記載の画像表示方法をコンピュータに実行させることを特徴とするプログラム。
【発明の詳細な説明】
【技術分野】
【０００１】
本発明は、画像表示装置、画像表示方法、及びプログラムに関する。
【背景技術】
【０００２】
デジタルサイネージで、ページ画像を自動再生することが一般的になっている。例えば、銀行や保険会社等の営業店舗において、店舗内にデジタルサイネージを設置し、情報を繰り返し流すことが考えられる。表示される情報には、例えば、銀行や保険会社で販売される金融商品の説明資料などが挙げられる。
【０００３】
これらの説明資料は、デジタルサイネージに表示されるだけでなく、同資料をプリンタで印刷し、銀行や保険会社の営業店舗から顧客が持ち帰る紙資料としても使用されうる。このような場合に、デジタルサイネージの表示用と紙への印刷用とで、それぞれ資料を作成すると余計なコストが発生してしまう。このため、紙への印刷用に作成した資料を、そのままデジタルサイネージの表示に使用するニーズが増加している。
【０００４】
特許文献１は、デジタルサイネージの表示において、表示画面と利用者との距離や、利用者の視線方向等に基づく注視度に応じて、表示形態を変更する方法を開示している。
【先行技術文献】
【特許文献】
【０００５】
【特許文献１】特開２０１２−２２５８９号公報
【発明の概要】
【発明が解決しようとする課題】
【０００６】
しかしながら、特許文献１では、紙への印刷用に作成されたコンテンツ（ページ画像）をデジタルサイネージの表示にすることは開示されていない。紙への印刷用に作成されたコンテンツは、ページ番号順にページ画像を表示する構成のため、そのままデジタルサイネージの表示に使用した場合に、人が表示画面に接近したか否かに応じて表示内容を自動で選択し、切り替えて表示を行うことは困難である。このため、プレゼンテーション用のアプリケーションによるスライドショーのように、単純にコンテンツに含まれるページ画像の全体を順番に表示することしかできない。
【０００７】
また、紙への印刷用に作成されたページ画像は、Ａ４やＡ３等のサイズの紙で閲覧しやすいように、ヘッダや、タイトル、図等の文書構成要素がレイアウトされている。このため、デジタルサイネージの表示において、ページ画像全体を表示するだけでは、表示画面に接近していない人にはページ画像の各構成要素が小さく、内容を把握することが困難な場合がある。また、表示画面に接近した人に対しても、ページ画像全体を表示するだけでは、ページ画像の中のどの部分に注目し、内容を把握すれば良いかを分かりやすく表示することができていない。
【０００８】
本発明は、画像表示装置の近くに人が存在するか否かに応じて、該画像表示装置に表示する内容を自動で選択し、切り替えて表示することができる画像表示装置を提供することを目的とする。
【課題を解決するための手段】
【０００９】
本発明の一実施形態の画像表示装置は、画像に含まれるオブジェクトを認識する認識手段と、認識されたオブジェクトの表示に関する属性を決定する決定手段と、画像表示装置の近くに人が存在するか否かを検知する検知手段と、検知された結果に応じて、表示に関する属性に基づいて画像表示装置に表示するオブジェクトを切り替えて表示する表示制御手段と、を備える。
【発明の効果】
【００１０】
本発明の画像表示装置によれば、画像表示装置の近くに人が存在するか否かに応じて、該画像表示装置に表示する内容を自動で選択し、切り替えて表示することができる。これにより、紙への印刷用に作成したコンテンツを、デジタルサイネージに表示する場合であっても、画像表示装置の近くに人が存在するか否かに応じて、最適な表示内容を自動で選択し、表示することができる。
【図面の簡単な説明】
【００１１】
【図１】画像表示装置のハードウェア構成例を示す図である。
【図２】画像表示装置が処理するコンテンツとページ画像を示す図である。
【図３】画像表示装置の処理ブロックを示す図である。
【図４】ページ画像の構造解析処理を説明するフローチャートである。
【図５】ページ画像の構造解析処理の結果の一例を示す図である。
【図６】部分領域データ及び部分領域管理テーブルを示す図である。
【図７】表示設定の決定処理を説明するフローチャートである。
【図８】表示拡大率の決定処理を説明するフローチャートである。
【図９】表示属性の決定処理を説明するフローチャートである。
【図１０】自動再生処理を説明するフローチャートである。
【図１１】人検知処理を説明するフローチャートである。
【図１２】部分領域の拡大表示処理を説明するフローチャートである。
【図１３】自動再生処理の際の画面遷移を示す図である。
【発明を実施するための形態】
【００１２】
以下、本発明を実施するための形態について図面などを参照して説明する。
【００１３】
（第１実施形態）
（画像表示装置のハードウェア構成）
図１（Ａ）は、画像表示装置のハードウェア構成例を示す図である。
画像表示装置１００は、ＣＰＵ１０１と、ＲＡＭ１０２と、ＲＯＭ１０３と、ＨＤＤ１０４と、表示部１０５と、センサ１０６とから構成される。
【００１４】
ＣＰＵ１０１は、ＲＯＭ１０３に記憶されている画像処理プログラムを実行し、画像表示装置１００の表示部１０５にページ画像を表示する。ＲＡＭ１０２は、ＣＰＵ１０１が実行する画像処理プログラムに割り当てられるメモリである。ＨＤＤ１０４は、ＣＰＵ１０１が実行する画像処理プログラムがデータの読み書きに使用する記憶装置である。画像処理プログラムが処理するデータは、コンテンツに含まれる複数のページ画像である。コンテンツとページ画像については、図２を用いて後述する。
【００１５】
表示部１０５は、ページ画像を表示する画面である。図１（Ｂ）は、表示部１０５を示す図である。図１（Ｂ）に示すように、表示部１０５の大きさは、幅がＷ００、高さがＨ００とする。センサ１０６は、赤外線センサであり、画像表示装置１００の正面に物体が存在するかを検知する。図１（Ｃ）は、センサ１０６の検知範囲を示す図である。図１（Ｃ）に示すように、センサ１０６は、画像表示装置１００の正面に検知範囲１１０を持つ。センサ１０６は、主に検知範囲１１０に人が存在するか否かを判定する。
【００１６】
図１（Ｃ）において、例えば、人１１１のように検知範囲１１０内に人がいる場合は、画像表示装置１００の正面に人が存在すると判定する。また、人１１２のように検知範囲１１０内に人がいない場合は、画像表示装置１００の正面に人が存在しないと判定する。画像表示装置１００は、人の検知の有無に応じて、表示部１０５に表示するページ画像の内容を切り替える。
【００１７】
（コンテンツとページ画像）
図２は、画像表示装置が処理するコンテンツとページ画像を示す図である。
コンテンツ２００は、複数のページ画像２０１〜２０Ｎから構成される。コンテンツのページ数をＮとする。コンテンツ２００は、一般的な情報処理装置で扱われる文書ファイルに相当し、ページ画像２０１〜２０Ｎは、文書ファイルに含まれる各ページデータに相当する。
【００１８】
本実施形態では、ページ画像のフォーマットは、ラスタ画像であり、例えば、ＪＰＥＧやＴＩＦＦファイルである。画像表示装置１００は、１つのコンテンツ２００に含まれる全ページ画像２０１〜２０Ｎに対して画像処理プログラムを実行する。
【００１９】
（画像表示装置の処理ブロック）
図３（Ａ）は、本実施形態における画像表示装置の画像処理プログラムが実現する処理ブロックを示す図である。
画像処理プログラムが実現する処理ブロックは、ページ構造解析部３０１と、部分領域管理部３０２と、表示設定決定部３０３と、拡大表示部３０４と、人検知部３０５と、自動再生部３０６とから構成される。
【００２０】
画像表示装置１００は、ＲＯＭ１０３に含まれる画像処理プログラムをＣＰＵ１０１で実行し、上記の各処理ブロックを実現する。以下で各ブロックの役割について説明する。
ページ構造解析部３０１は、ページ画像の構造解析処理を実行する。構造解析処理とは、ページ画像に含まれるテキストや図などの文書構成要素に応じて、ページ画像中の複数の部分領域（オブジェクト）を自動認識する処理である。
【００２１】
文書構成要素とは、文書中のヘッダ、フッタ、タイトル、テキスト、図、画像、背景などの文書を構成する各要素を指す。文書構成要素と、ページ画像の構造解析処理については、図４を用いて後述する。ページ画像の構造解析処理を実行後に得られる部分領域（オブジェクト）に関する情報を部分領域データと呼ぶ。部分領域データは、ページ画像における部分領域の座標や幅・高さ（以降、幅高とする）などの部分領域に関するデータである。部分領域データは、後述する表示設定決定部３０３によって表示に関する属性（表示設定）等の情報が追加される。部分領域データの詳細については、図５と図６を用いて後述する。
【００２２】
部分領域管理部３０２は、部分領域データ及び部分領域管理テーブルを管理する。部分領域管理テーブルは、複数の部分領域データを管理するテーブルである。部分領域管理テーブルについては、図６を用いて後述する。表示設定決定部３０３は、部分領域管理部３０２が管理する部分領域データを使用し、部分領域毎の表示設定（表示に関する属性）の決定処理を実行する。表示設定の決定処理の結果は、部分領域データに追加される。表示設定の決定処理については、図７〜図９を用いて後述する。
【００２３】
拡大表示部３０４は、ページ画像中の部分領域を、部分領域毎の表示拡大率で表示部１０５に表示する、部分領域の拡大表示処理を実行する。表示に必要となる部分領域の座標や表示拡大率などの情報は、部分領域データで指定される。部分領域の拡大表示処理については、図１２を用いて後述する。人検知部３０５は、センサ１０６を使用して画像表示装置１００の正面に人が存在するか否かを判断する。そして、判断した結果を自動再生部３０６に通知する。
【００２４】
自動再生部３０６は、部分領域データと表示部１０５を使用し、部分領域を順番に表示（自動再生）する。また、自動再生部３０６は、人検知部３０５からの通知に応じて表示する部分領域を切り替えながら、部分領域を順番に表示する。自動再生処理については、図１０を用いて後述する。また、自動再生処理の実行時における表示部１０５の画面遷移は、図１３を用いて後述する。
【００２５】
（構造解析処理）
図４は、ページ構造解析部３０１が実行するページ画像の構造解析処理を説明するフローチャートである。
ページ画像の構造解析処理は、ページ画像の文書構成要素に応じて、ページ画像に含まれる複数の部分領域（オブジェクト）を自動認識する処理である。文書構成要素とは、文書中のヘッダ、フッタ、タイトル、テキスト、図、画像、背景などの文書を構成する各要素を指す。
【００２６】
ページ画像の構造解析処理は、コンテンツ２００の全ページ対して順に実行される。すなわち、ページ構造解析部３０１は、先頭の１ページ目から処理を開始し、１ページ目が終了した後に次ページに対する処理を実行する。これを最終ページまで繰り返す。ここでは、図５のページ画像を例にページ画像の構造解析処理について説明する。図５のページ画像は、図２のコンテンツ２００における１ページ目のページ画像２０１である。
【００２７】
ステップＳ４０１において、ページ構造解析部３０１は、処理するページ番号を変数ｉに設定する。変数ｉは、全ページに対して処理を実行するためのインクリメント用のインデックスである。最初は、先頭ページ番号の１が設定される。
ステップＳ４０２において、ページ構造解析部３０１は、画像表示装置１００のＨＤＤ１０４に保存されているコンテンツ２００のｉページ目のページ画像を読み込む。
ステップＳ４０３において、ページ構造解析部３０１は、読み込んだページ画像に対して文書構成要素に応じて部分領域を認識する。
【００２８】
例えば、図５（Ａ）に示すページ画像における文書構成要素は、ヘッダ５０１及びヘッダ５０２、タイトル５０３、テキスト５０４、図を示す領域５０５及び図を示す領域５０６などである。図５（Ｂ）は、ページ構造解析部３０１が、図５（Ａ）のページ画像に対して文書構成要素に応じて部分領域（オブジェクト）を自動認識した結果を示す図である。構造解析処理の結果である部分領域は、図５（Ｂ）において矩形の点線で示されている。
【００２９】
図５に示すように、ヘッダ５０１は、部分領域５１１として自動認識されている。同様に、ヘッダ５０２は、部分領域５１２に、タイトル５０３は、部分領域５１３に、テキスト５０４は、部分領域５１４に、図を示す領域５０５は、部分領域５１５に、図を示す領域５０６は、部分領域５１６として自動認識されている。また、背景５００（ページ画像全体と同じ範囲の領域）は、部分領域５１０として自動認識されている。
【００３０】
ステップＳ４０４において、ページ構造解析部３０１は、ステップＳ４０３で認識した部分領域の座標と幅高を認識する。部分領域の座標と幅高に関して、図５（Ｃ）における部分領域５１３を例に説明する。座標に関しては、背景として認識した部分領域５１０（ページ画像全体と同じ範囲の領域）の左上を原点とする座標系で表現する。例えば、部分領域５１３の座標は、原点から部分領域５１３の左上の座標までのＸ軸方向の距離Ｘ１３、及び、原点から部分領域５１３の左上座標までのＹ軸方向の距離Ｙ１３で表される。また、部分領域の幅高に関しては、部分領域５１３のＸ軸方向の長さＷ１３、及び、Ｙ軸方向の長さＨ１３で表される。
【００３１】
ステップＳ４０５において、ページ構造解析部３０１は、ＯＣＲ処理を実行し、部分領域に文字があるか否かを判定する。文字がある場合は、ステップＳ４０６に進む。文字が無い場合は、ステップＳ４０８に進む。
ステップＳ４０６において、ページ構造解析部３０１は、ＯＣＲ処理の結果より、文字サイズを認識する。
ステップＳ４０７において、ページ構造解析部３０１は、ＯＣＲ処理の結果より、文字方向を認識する。文字方向とは文字が横書きか、縦書きかのことである。
【００３２】
ステップＳ４０８において、ページ構造解析部３０１は、各部分領域に対して領域属性を認識する。領域属性とは、文書構成要素に対応する属性を示すものであり、ヘッダ、フッタ、タイトル、テキスト、図、画像、背景、などである。
【００３３】
ステップＳ４０９において、ページ構造解析部３０１は、各部分領域の表示順序を認識する。表示順序は、部分領域の座標や幅高等に応じて決定される。図５（Ｂ）の例では、部分領域５１０の表示順序は１、部分領域５１１の表示順序は２、部分領域５１２の表示順序は３として認識される。また、部分領域５１３の表示順序は４、部分領域５１４の表示順序は５、部分領域５１５の表示順序は６、部分領域５１６の表示順序は７として認識される。
【００３４】
ステップＳ４１０において、ページ構造解析部３０１は、前ステップまでに認識した部分領域に関する情報を部分領域データとして保存する。実際には、ページ構造解析部３０１は、部分領域管理部３０２に通知し、部分領域データを保存する。
ステップＳ４１１において、ページ構造解析部３０１は、次ページを処理するために変数ｉをインクリメントする。
【００３５】
ステップＳ４１２において、ページ構造解析部３０１は、変数ｉが処理中のコンテンツ
２００のページ数を越えたか否かを判定する。変数ｉがページ数を越えていない場合は、ステップＳ４０２に戻り、次ページのページ画像の読み込みから実行する。変数ｉがページ数を越えた場合は、コンテンツ２００の全ページに対する処理が完了しているため、ページ画像の構造解析処理を終了する。
【００３６】
（部分領域データの管理）
図６は、部分領域管理テーブルを示す図である。
部分領域管理部３０２は、部分領域データを部分領域管理テーブルで管理する。部分領域管理部３０２は、部分領域管理テーブルを、画像表示装置１００の記憶装置であるＲＡＭ１０２やＨＤＤ１０４などに保存する。
【００３７】
図６に示すように、部分領域管理テーブルの行方向には部分領域データの項目が並ぶ。部分領域データの項目は、ページ画像の構造解析処理（図４）の結果から取得するものと、表示設定の決定処理（図７）の結果から取得するものとから構成される。
【００３８】
まず、ページ画像の構造解析処理（図４）の結果から取得する項目である、ページ番号６０１、部分領域番号６０２、座標６０３、幅高６０４、領域属性６０５、文字方向６０６、文字サイズ６０７、及び表示順序６０８について説明する。
ページ番号６０１は、部分領域が含まれるページ画像のページ番号である。部分領域番号６０２は、部分領域を識別するための番号である。すなわち、部分領域は、ページ番号６０１と部分領域番号６０２を使用することにより、一意に識別することができる。
【００３９】
座標６０３は、部分領域の左上の座標である。幅高６０４は、部分領域の幅と高さである。部分領域の座標と幅高については、図５（Ｃ）を用いて説明した。領域属性６０５は、文書構成要素に対応する属性を示すものであり、ヘッダ、フッタ、タイトル、テキスト、図、画像、背景、等である。部分領域の文書構成要素と領域属性については、図５（Ａ）及び（Ｂ）を用いて説明した。文字方向６０６及び文字サイズ６０７は、領域属性がテキスト、タイトル、ヘッダ、またはフッタであった場合に、その部分領域に含まれる文字の組み方向（縦書きか横書きか）及びサイズを示すものである。表示順序６０８は、１ページ毎のページ画像における部分領域の表示順序である。
【００４０】
次に、表示設定の決定処理（図７）の結果から取得する項目である、表示拡大率６１１、表示時間６１２、表示可否６１３、及び表示種類６１４について説明する。
表示拡大率６１１は、部分領域を拡大表示する際の表示拡大率である。部分領域の表示拡大率の決定処理については、図８を用いて後述する。表示時間６１２は、部分領域を拡大表示する表示時間である。部分領域の表示時間の決定方法については、図９の表示属性の決定処理のフローチャートを用いて後述する。
【００４１】
表示可否６１３は、部分領域を表示するか否かを示す設定である。部分領域の表示可否の決定方法は、図７の表示設定の決定処理のフローチャートを用いて後述する。表示種類６１４は、人検知処理の結果に応じて表示する部分領域を切り替えるための設定である。本実施形態では、表示種類として概要または詳細が設定される。表示種類が概要に設定された部分領域は、人が検知されていない場合に表示される。表示種類が詳細に設定された部分領域は、人が検知された場合に表示される。部分領域データの表示種類６１４と人検知処理の結果に応じた部分領域の自動再生処理については、図１０を用いて後述する。
【００４２】
次に、部分領域管理テーブルの列方向に並ぶデータに関して説明する。
部分領域管理テーブルでは、コンテンツ２００の全ページ画像２０１〜２０Ｎに含まれる全部分領域データが管理され、各部分領域データは列方向に並ぶ。すなわち、１列分のデータが１つ部分領域データに相当する。例えば、図５（Ｂ）示すページ画像では、部分領域が５１０〜５１６の７つあり、図６の部分領域テーブルに７列で管理されている。部分領域管理テーブルの各項目の値に関しては、図７〜図９に示す表示設定の決定処理（図７）、表示拡大率の決定処理（図８）、及び表示属性の決定処理（図９）において説明する。
【００４３】
（表示設定の決定処理）
図７〜図９は、表示設定決定部３０３が実行する各部分領域の表示設定の決定処理を説明するフローチャートである。
図７に示すように、表示設定の決定処理は、表示拡大率の決定処理（Ｓ７０４）、及び表示属性の決定処理（Ｓ７０５）から構成される。表示設定の決定処理は、コンテンツ２００の全ページ画像に含まれる全部分領域に対して順に実行される。すなわち、先頭の１ページ目のページ画像に含まれる１つ目の部分領域から処理を開始し、１ページ目の各部分領域に対して処理が実行される。そして、１ページ目の処理が終了した後に次ページのページ画像に含まれる各部分領域に対して処理が実行される。これを最終ページのページ画像まで繰り返す。
【００４４】
ステップＳ７０１において、表示設定決定部３０３は、処理するページ番号を変数ｉに設定する。変数ｉは、全ページに対して処理を実行するためのインクリメント用のインデックスである。最初は、先頭ページ番号の１が設定される。
ステップＳ７０２において、表示設定決定部３０３は、ステップＳ７０１で変数ｉに設定したページ番号の全部分領域データを部分領域管理テーブルから取得する。
【００４５】
ステップＳ７０３において、表示設定決定部３０３は、処理する部分領域番号を変数ｊに設定する。変数ｊは、１ページ分に含まれる全部分領域に対して決定処理を実行するためのインクリメント用のインデックスである。最初は、先頭の部分領域番号の１が設定される。
【００４６】
ステップＳ７０４において、表示設定決定部３０３は、表示拡大率の決定処理を実行する。ここでは、部分領域データで指定される幅高６０４を使用し、表示拡大率６１１が決定される。表示拡大率の決定処理（Ｓ７０４）の詳細は、図８のフローチャートを用いて後述する。
【００４７】
ステップＳ７０５において、表示設定決定部３０３は、表示属性の決定処理を実行する。ここでは、部分領域データで指定される表示拡大率６１１や領域属性６０５等を使用して、表示時間６１２、表示可否６１３、表示種類６１４が決定される。表示属性の決定処理（Ｓ７０５）の詳細は、図９のフローチャートを用いて後述する。
【００４８】
ステップＳ７０６において、表示設定決定部３０３は、前ステップまでに決定した部分領域の表示拡大率６１１と表示属性である表示時間６１２、表示可否６１３、及び表示種類６１４を、処理中の部分領域データに反映する。
ステップＳ７０７において、表示設定決定部３０３は、次の部分領域を処理するために変数ｊをインクリメントする。
【００４９】
ステップＳ７０８において、表示設定決定部３０３は、変数ｊが処理中のページの部分領域数を超えたか否かを判定する。変数ｊが部分領域数を越えていない場合は、ステップＳ７０４に戻り、次の部分領域の表示拡大率の決定処理を実行する。変数ｊが部分領域数を越えた場合は、ステップＳ７０９に進む。
【００５０】
ステップＳ７０９において、表示設定決定部３０３は、次ページを処理するために変数ｉをインクリメントする。
ステップＳ７１０において、表示設定決定部３０３は、変数ｉが処理中のコンテンツ２００のページ数を超えたか否かを判定する。変数ｉがコンテンツ２００のページ数を越えていない場合は、ステップＳ７０２に戻り、次ページの全部分領域データの取得を実行する。変数ｉがコンテンツ２００のページ数を越えた場合は、表示設定の決定処理を終了する。
【００５１】
（表示拡大率の決定処理）
図８は、表示設定決定部３０３が実行する表示拡大率の決定処理を説明するフローチャートである。
この処理は、表示設定決定部３０３が前述の図７に示した表示設定の決定処理におけるステップＳ７０４で実行し、部分領域毎の表示拡大率を決定する。
【００５２】
ステップＳ７１１において、表示設定決定部３０３は、画像表示装置１００の表示部１０５の幅高を取得する。図１（Ｂ）に示したように、画像表示装置の表示部１０５の幅高は、（Ｗ００、Ｈ００）である。
【００５３】
ステップＳ７１２において、表示設定決定部３０３は、部分領域データで指定される領域属性６０５を判定する。「領域属性」がテキスト、タイトル、ヘッダ、またはフッタの場合は、ステップＳ７１３に進み、「領域属性」が背景、図、または写真の場合は、ステップＳ７１７に進む。
【００５４】
ステップＳ７１３において、表示設定決定部３０３は、部分領域データで指定される文字方向６０６を読み込む。
ステップＳ７１４において、Ｓ７１３で読み込んだ文字方向６０６を判定する。文字方向が横書きの場合、ステップＳ７１５に進み、文字方向が縦書きの場合、ステップＳ７１６に進む。
【００５５】
ステップＳ７１５において、表示設定決定部３０３は、文字方向が横書きの部分領域の表示拡大率を決定する。具体的には、部分領域データで指定される「幅」が画像表示装置１００の表示部１０５の幅に入るように、部分領域の表示拡大率を決定する。例えば、部分領域データで指定される幅がＷ１０で、画像表示装置１００の表示部１０５の幅がＷ００の場合は、部分領域の表示拡大率は、Ｗ００／Ｗ１０（Ｗ００をＷ１０で割った商）となる。
【００５６】
ステップＳ７１６において、表示設定決定部３０３は、文字方向が縦書きの部分領域の表示拡大率を決定する。具体的には、部分領域データで指定される「高さ」が画像表示装置１００の表示部１０５の高さに入るように、部分領域の表示拡大率を設定する。例えば、部分領域データで指定される高さがＨ１０で、画像表示装置１００の表示部１０５の高さがＨ００の場合は、部分領域の表示拡大率は、Ｈ００／Ｈ１０（Ｈ００をＨ１０で割った商）となる。
【００５７】
ステップＳ７１７において、表示設定決定部３０３は、領域属性６０５が背景、図、または写真である部分領域の表示拡大率を決定する。具体的には、部分領域データで指定される幅高の部分領域が、画像表示装置１００の表示部１０５に入る様に、表示拡大率を決定する。すなわち、部分領域データで指定される幅と高さの両方が表示部１０５に入るようにするため、幅と高さそれぞれの拡大率を取得し、値の小さい方を表示拡大率として決定する。
【００５８】
例えば、部分領域データで指定される幅高が（Ｗ１０，Ｈ１０）で、画像表示装置１００の表示部１０５の幅高が（Ｗ００，Ｈ００）の場合、幅の拡大率Ｗ００／Ｗ１０と、高さの拡大率Ｈ００／Ｈ１０を比較する。そして、値の小さい方を部分領域の表示拡大率として決定する。表示設定決定部３０３は、上述したように、領域属性や文字方向に応じた表示拡大率を決定した後に、表示拡大率の決定処理を終了する。
【００５９】
（表示属性の決定処理）
図９は、表示設定決定部３０３が実行する表示属性の決定処理を説明するフローチャートである。
表示属性とは、本実施形態では、「表示時間」、「表示可否」、及び「表示種類」のことである。この処理は、表示設定決定部３０３が前述の図７に示した表示設定の決定処理におけるステップＳ７０５で実行し、部分領域毎の表示属性を決定する。
【００６０】
ステップＳ７２１において、表示設定決定部３０３は、部分領域データで指定される領域属性６０５がヘッダ、またはフッタであるか否かを判定する。「領域属性」がヘッダまたはフッタの場合は、ステップＳ７２２に進み、「領域属性」がヘッダまたはフッタ以外の場合は、ステップＳ７２３に進む。
【００６１】
ステップＳ７２２において、表示設定決定部３０３は、部分領域データの表示可否６１３の値を「非表示」に設定する。そして、表示設定決定部３０３は、表示属性の決定処理を終了する。
【００６２】
ステップＳ７２３において、表示設定決定部３０３は、部分領域データの表示可否６１３の値を表示に設定する。
ステップＳ７２４において、表示設定決定部３０３は、部分領域データで指定される領域属性６０５を判定する。「領域属性」がタイトルの場合は、ステップＳ７２７に進む。「領域属性」がテキストの場合は、ステップＳ７２５に進む。また、「領域属性」が背景、図、または写真の場合は、ステップＳ７２６に進む。
【００６３】
ステップＳ７２５において、表示設定決定部３０３は、部分領域データで指定されるテキストの文字サイズ６０７を判定する。文字サイズ６０７が閾値以上であった場合は、ステップＳ７２７に進む。文字サイズが閾値未満であった場合は、ステップＳ７２８に進む。
【００６４】
ステップＳ７２６において、表示設定決定部３０３は、部分領域データで指定される部分領域の表示拡大率６１１を判定する。表示拡大率６１１が閾値以上であった場合は、ステップＳ７２７に進む。表示拡大率６１１が閾値未満であった場合は、ステップＳ７２８に進む。
【００６５】
ステップＳ７２７において、表示設定決定部３０３は、部分領域データの表示種類６１４の値を「概要」に設定する。表示種類６１４が概要に設定された部分領域は、人が検知されていない場合に表示される部分領域である。
ステップＳ７２８において、表示設定決定部３０３は、部分領域データの表示種類６１４の値を「詳細」に設定する。表示種類６１４が詳細に設定された部分領域は、人が検知された場合に表示される部分領域である。
【００６６】
ステップＳ７２９及びステップＳ７３０おいて、表示設定決定部３０３は、部分領域データの表示時間６１２を決定する。部分領域の表示時間６１２は、部分領域データで指定される表示拡大率６１１を使用し、決定される。具体的には、表示時間＝定数／表示拡大率により決定される。これにより、表示拡大率が大きい部分領域ほど表示時間は短く、表示拡大率が小さい部分領域ほど表示時間は長くなる。
【００６７】
ステップＳ７２９及びステップＳ７３０で使用した式の分子を、それぞれ定数Ａ及び定数Ｂとし、ステップＳ７２９とステップＳ７３０とで異なる値を設定してもよい。その場合、部分領域の表示種類６１４が概要か詳細かにより、異なる式で表示時間を決定することができる。例えば、表示種類６１４が詳細の場合は、概要の場合に比べて表示内容を把握するには時間がかかるため、表示時間を長く設定することができる。表示設定決定部３０３は、表示属性として表示時間、表示可否、及び表示種類を決定した後に、表示属性の決定処理を終了する。
【００６８】
図７〜図９を用いて説明した表示設定の決定処理の例として、図５（Ｂ）のページ画像と、図６の部分領域データを用いた場合について説明する。図５（Ｂ）及び図６は、図５（Ａ）のページ画像に対して、ページ画像の構造解析処理（図４）を実行し、部分領域データを取得したものである。
【００６９】
図５（Ｂ）の部分領域５１０は、図６の部分領域データにおいて、ページ番号＝１、部分領域番号＝１のデータとして表されている。この部分領域は、領域属性６０５が「背景」である。このため、図８に示した表示拡大率の決定処理のステップＳ７１７において、表示拡大率６１１の値としてＭ１０が決定される。また、図９に示した表示属性の決定処理のステップＳ７２３において、表示可否６１３の値は、「表示」に設定される。また、ステップＳ７２８において、表示種類６１４の値は、「詳細」に決定される。さらに、ステップＳ７３０において、表示時間６１２の値としてＴ１０が決定される。
【００７０】
図５（Ｂ）の部分領域５１１は、図６の部分領域データにおいて、ページ番号＝１、部分領域番号＝２のデータとして表されている。この部分領域は、領域属性６０５が「ヘッダ」である。このため、図８に示した表示拡大率の決定処理のステップＳ７１５において、表示拡大率６１１の値としてＭ１１が決定される。また、図９に示した表示属性の決定処理のステップＳ７２２において、表示可否６１３の値は、「非表示」に設定される。よって、表示種類６１４及び表示時間６１２は設定されない。
【００７１】
図５（Ｂ）の部分領域５１２は、図６の部分領域データにおいて、ページ番号＝１、部分領域番号＝３のデータとして表されている。この部分領域は、領域属性６０５が「ヘッダ」である。このため、図８に示した表示拡大率の決定処理のステップＳ７１５において、表示拡大率６１１の値としてＭ１２が決定される。また、図９に示した表示属性の決定処理のステップＳ７２２において、表示可否６１３の値は、「非表示」に設定される。よって、表示種類６１４及び表示時間６１２は設定されない。
【００７２】
図５（Ｂ）の部分領域５１３は、図６の部分領域データにおいて、ページ番号＝１、部分領域番号＝４のデータとして表されている。この部分領域は、領域属性６０５が「タイトルである。このため、図８に示した表示拡大率の決定処理のステップＳ７１５において、表示拡大率６１１の値としてＭ１３が決定される。また、図９に示した表示属性の決定処理のステップＳ７２３において、表示可否６１３の値は、「表示」に設定される。また、ステップＳ７２７において、表示種類６１４の値は、「概要」に決定される。さらに、ステップＳ７２９において、表示時間６１２の値としてＴ１３が決定される。
【００７３】
図５（Ｂ）の部分領域５１４は、図６の部分領域データにおいて、ページ番号＝１、部分領域番号＝５のデータとして表されている。この部分領域は、領域属性６０５が「テキスト」である。このため、図８に示した表示拡大率決定処理のステップＳ７１５において、表示拡大率６１１の値としてＭ１４が決定される。また、図９に示した表示属性の決定処理のステップＳ７２３において、表示可否６１３の値は、「表示」に設定される。また、ステップＳ７２５において、表示拡大率Ｍ１４が閾値未満であると判定し、ステップＳ７２７において、表示種類６１４の値は、「詳細」に決定される。さらに、ステップＳ７３０において、表示時間６１２の値としてＴ１４が決定される。
【００７４】
図５（Ｂ）の部分領域５１５は、図６の部分領域データにおいて、ページ番号＝１、部分領域番号＝６のデータとして表されている。この部分領域は、領域属性６０５が「図」である。このため、図８に示した表示拡大率の決定処理のステップＳ７１７において、表示拡大率６１１の値としてＭ１５が決定される。また、図９に示した表示属性の決定処理のステップＳ７２３において、表示可否６１３の値は、「表示」に設定される。また、ステップＳ７２６において、表示拡大率Ｍ１５が閾値以上であると判定し、ステップＳ７２７において、表示種類６１４の値は、「概要」に決定される。さらに、ステップＳ７２９において、表示時間６１２の値としてＴ１５が決定される。
【００７５】
図５（Ｂ）の部分領域５１６は、図６の部分領域データにおいて、ページ番号＝１、部分領域番号＝７のデータとして表されている。この部分領域は、領域属性６０５が「図」である。このため、図８に示した表示拡大率の決定処理のステップＳ７１７において、表示拡大率６１１の値としてＭ１６が決定される。また、図９に示した表示属性の決定処理のステップＳ７２３において、表示可否６１３の値は、「表示」に設定される。また、ステップＳ７２６において、表示拡大率Ｍ１６が閾値未満であると判定し、ステップＳ７２８において表示種類６１４の値は、「詳細」に決定される。さらに、ステップＳ７３０において、表示時間６１２の値としてＴ１６が決定される。
【００７６】
（自動再生処理）
図１０は、自動再生部３０６が実行する部分領域の自動再生処理を説明するフローチャートである。
自動再生処理は、コンテンツ２００の全ページ画像に含まれる全部分領域に対して順に実行される。すなわち、自動再生部３０６は、先頭の１ページ目のページ画像に含まれる１つ目の部分領域から処理を開始し、１ページ目の各部分領域に対して処理を実行する。そして、１ページ目の処理が終了した後に次ページのページ画像に含まれる各部分領域に対して処理を実行する。これを最終ページのページ画像まで繰り返すように表示制御を行う。
【００７７】
ステップＳ８０１において、自動再生部３０６は、処理するページ番号を変数ｉに設定する。変数ｉは、全ページに対して処理を実行するためのインクリメント用のインデックスである。最初は、先頭ページ番号の１が設定される。
ステップＳ８０２において、自動再生部３０６は、ステップＳ８０１で変数ｉに設定したページ番号の全部分領域管理データを部分領域管理テーブルから取得する。
【００７８】
ステップＳ８０３において、自動再生部３０６は、処理する部分領域番号を変数ｊに設定する。変数ｊは、１ページ分に含まれる全部分領域に対して自動再生処理を実行するためのインクリメント用のインデックスである。最初は、先頭の部分領域番号の１が設定される。
【００７９】
ステップＳ８０４において、自動再生部３０６は、人検知部３０５から通知された人検知処理の結果（人検知情報）を判定する。人検知処理については、図１１を用いて後述する。人検知情報が「あり」の場合、すなわち、所定の時間の間、検知範囲１１０内に人が存在する場合は、ステップＳ８０５に進む。人検知情報が「なし」の場合、すなわち、所定の時間の間、検知範囲１１０内に人が存在していない場合は、ステップＳ８０６に進む。
ステップＳ８０５において、自動再生部３０６は、部分領域データで指定される部分領域の表示種類６１４を判定する。表示種類６１４の値が「概要」の場合は、ステップＳ８０７に進む。表示種類６１４の値が「概要」でない場合は、ステップＳ８０９に進む。
【００８０】
ステップＳ８０６において、自動再生部３０６は、部分領域データで指定される部分領域の表示種類６１４を判定する。表示種類６１４の値が「詳細」の場合は、ステップＳ８０７に進む。表示種類６１４の値が「詳細」でない場合は、ステップＳ８０９に進む。
【００８１】
ステップＳ８０７において、自動再生部３０６は、部分領域の拡大表示処理を実行する。部分領域の拡大表示処理は、部分領域データで指定された値に従い、表示部１０５に部分領域を適切な表示拡大率で表示する処理である。部分領域の拡大表示処理については、図１２のフローチャートを用いて後述する。
【００８２】
ステップＳ８０８において、自動再生部３０６は、部分領域の表示経過時間を確認する。具体的には、部分領域を表示した時間が、部分領域データで指定される表示時間６１２の値を経過したか否かを確認する。部分領域データで指定された表示時間を経過していた場合は、ステップＳ８０９に進む。表示時間を経過していない場合は、ステップＳ８０７の部分領域の拡大表示処理を継続する。
ステップＳ８０９において、自動再生部３０６は、次の部分領域を処理するために変数ｊをインクリメントする。
【００８３】
ステップＳ８１０において、自動再生部３０６は、変数ｊが処理中のページの部分領域数を越えたか否かを判定する。変数ｊが部分領域数を越えていない場合は、ステップＳ８０４に戻り、人検知処理を実行する。変数ｊが部分領域数を越えた場合は、処理中のページ画像に含まれる全部分領域に対して処理を完了したとして、ステップＳ８１１に進む。
ステップＳ８１１において、自動再生部３０６は、次ページを処理するために変数ｉをインクリメントする。
【００８４】
ステップＳ８１２において、自動再生部３０６は、変数ｉが処理中のコンテンツ２００のページ数を越えたか否かを判定する。変数ｉがコンテンツ２００のページ数を越えていない場合は、ステップＳ８０２に戻り、次ページの全部分領域データの取得を実行する。変数ｉがコンテンツ２００のページ数を越えた場合は、ステップＳ８０１に戻り、先頭ページから処理を繰り返し、自動再生処理を継続する。自動再生部３０６は、このように繰り返し自動再生処理を実行する。自動再生処理を実行した場合の、画像表示装置１００の表示部１０５の画面遷移については、図１３を用いて後述する。
【００８５】
（人検知処理）
図１１は、人検知部３０５が実行する人検知処理を説明するためのフローチャートである。
人検知処理とは、センサ１０６が検知範囲内に、人が一定時間以上存在するか否かを検知する処理である。この処理の結果は、図１０に示した自動再生処理のステップＳ８０４で使用される。
【００８６】
ステップＳ９０１において、人検知部３０５は、センサ１０６からセンサ値を取得する。
ステップＳ９０２において、人検知部３０５は、ステップＳ９０１で取得したセンサ値を用いて、検知範囲１１０内に人が存在するか否かを判定する。検知範囲１１０内に人が存在する場合は、ステップＳ９０３に進む。検知範囲１１０内に人が存在しない場合は、ステップＳ９１１に進む。
【００８７】
ステップＳ９０３において、人検知部３０５は、検知フラグを判定する。検知フラグがＯＦＦに設定されている場合は、ステップＳ９０４に進む。検知フラグがＯＮに設定されている場合は、ステップＳ９０６に進む。検知フラグとは、人が検知範囲１１０内に存在する時間の測定中か否かを表すフラグである。
【００８８】
ステップＳ９０４において、人検知部３０５は、検知時間の測定を開始する。検知時間とは、人が検知範囲１１０内に存在する時間のことである。
ステップＳ９０５において、人検知部３０５は、検知フラグをＯＮに設定する。
ステップＳ９０６において、人検知部３０５は、検知時間が閾値を越えたか否かを判定する。検知時間が閾値を越えた場合は、ステップＳ９０７に進む。検知時間が閾値を越えていない場合は、ステップＳ９０１に戻り、センサ１０６からセンサ値の取得を継続する。
【００８９】
ステップＳ９０７において、人検知部３０５は、人検知情報に「あり」を設定する。そして、ステップＳ９１３に進む。
ステップＳ９１１において、人検知部３０５は、検知フラグをＯＦＦに設定する。
ステップＳ９１２において、人検知部３０５は、人検知情報に「なし」を設定する。そして、ステップＳ９１３に進む。
【００９０】
ステップＳ９１３において、人検知部３０５は、人検知情報を自動再生部３０６に通知する。人検知部３０５は、人検知情報を自動再生部３０６に通知後は、ステップＳ９０１に戻り、センサ１０６からセンサ値の取得を継続する。
【００９１】
（部分領域の拡大表示処理）
図１２は、拡大表示部３０４が実行する部分領域の拡大表示処理を説明する。
この処理は、図１０に示した自動再生処理におけるステップＳ８０７で実行され、各部分領域を適切な表示拡大率で拡大表示する。
【００９２】
ステップＳ１００１において、拡大表示部３０４は、自動再生処理において処理中の部分領域データを部分領域管理テーブルから取得する。
ステップＳ１００２において、拡大表示部３０４は、部分領域データで指定される領域属性６０５を判定する。領域属性６０５がテキスト、タイトル、ヘッダ、またはフッタの場合は、ステップＳ１００３に進み、領域属性６０５が背景、図、または写真の場合は、ステップＳ１００７に進む。
【００９３】
ステップＳ１００３において、拡大表示部３０４は、処理中の部分領域を、部分領域データで指定される表示拡大率６１１で拡縮する場合に、部分領域全体が画像表示装置１００の表示部１０５の幅高に収まるか否かを判定する。拡縮した部分領域が画像表示装置１００の表示部１０５の幅高よりも大きく、全体を表示できない場合は、ステップＳ１００４に進む。拡縮した部分領域が画像表示装置１００の表示部１０５の幅高よりも小さいか等しく、全体を表示できる場合は、ステップＳ１００７に進む。
【００９４】
ステップＳ１００４において、拡大表示部３０４は、拡縮した部分領域が画像表示装置１００の表示部１０５よりも大きく、全体を表示できないため、文字方向に応じて部分領域の表示領域を決定する。拡大表示部３０４は、部分領域データで指定される文字方向６０６を用いて文字方向を判定する。文字方向が横書きの場合は、ステップＳ１００５に進み、縦書きの場合は、ステップＳ１００６に進む。
【００９５】
ステップＳ１００５において、拡大表示部３０４は、横書きの部分領域の先頭行が表示部１０５に表示されるように表示位置を設定する。具体的には、部分領域の左上端が画像表示装置の表示部１０５の左上端に合うように、部分領域の座標を決定する。
【００９６】
ステップＳ１００６において、拡大表示部３０４は、縦書きの部分領域の先頭行が表示部１０５に表示されるように表示位置を設定する。具体的には、部分領域の右上端が画像表示装置の表示部１０５の右上端に合うように部分領域の座標を決定する。
ステップＳ１００７において、拡大表示部３０４は、部分領域の中心が表示部１０５の中心に合うように部分領域の座標を決定する。
【００９７】
ステップＳ１００８において、拡大表示部３０４は、前ステップまでに設定した座標と、部分領域データで指定された表示拡大率とに従い、部分領域を表示部１０５に表示する。そして、拡大表示部３０４は、部分領域の拡大表示処理を完了する。
【００９８】
（自動再生処理の画面遷移例）
図１３は、図１０に示した自動再生処理を実行した場合の、画像表示装置の表示部１０５における画面遷移を示す図である。
ここでは、一例として、コンテンツ２００の１ページ目のページ画像２０１に対して、ページ画像の構造解析処理（図４）、及び表示設定の決定処理（図７〜図９）を実行し、取得した部分領域データ（図６）を使用した場合について説明する。
【００９９】
自動再生処理（図１０）において、自動再生部３０６は、ステップＳ８０１及びステップＳ８０２で、１ページ目の画像データの全部分領域データを取得する。自動再生部３０６は、ステップＳ８０４で、人検知部３０５から画像表示装置１００の検知範囲１１０内に人が存在するか否かの通知（人検知情報）を受け取る。
【０１００】
自動再生部３０６は、人が検知範囲１１０内に存在していない場合は、ステップＳ８０６〜ステップＳ８１０の処理により、部分領域番号が４、及び６の部分領域を順番に、それぞれの表示時間で拡大表示する。この時、表示部１０５には、図１３（Ａ）及び図１３（Ｂ）の順に部分領域が表示される。
【０１０１】
一方、自動再生部３０６は、人が検知範囲１１０内に存在している場合は、ステップＳ８０５〜ステップＳ８１０の処理により、部分領域番号が１、５、及び７の部分領域を順番に、それぞれの表示時間で拡大表示する。この時、表示部１０５には、図１３（Ｃ）、図１３（Ｄ）、図１３（Ｅ）の順に部分領域が表示される。
【０１０２】
以上のように、本実施形態によれば、画像表示装置の近くに人が存在するか否かに応じて、該画像表示装置に表示する内容を自動で選択し、切り替えて表示することができる。これにより、紙への印刷用に作成したコンテンツを、デジタルサイネージに表示する場合であっても、画像表示装置の近くに人が存在するか否かに応じて、最適な表示内容を自動で選択し、表示することができる。
【０１０３】
例えば、画像表示装置の近くに人が存在しない場合には、遠くからでも表示内容を把握できるように、コンテンツの概要を示す部分のみを自動的に選択して最適な拡大率で拡大表示を行うことができる。また、画像表示装置の近くに人が接近した場合等、人が存在する場合には、コンテンツのより詳しい内容を把握できるように、コンテンツの詳細を示す部分を自動的に選択して最適な拡大表示を行うことができる。このように、画像表示装置の遠くからでも表示内容が把握しやすい概要のみを拡大表示することで、デジタルサイネージへの接近を誘導できる。また、人が接近した後には、詳細な表示に切り替えて拡大表示することにより、利用者に負担をかけない分かりやすい表示を行うことが可能となる。
【０１０４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１０５】
以上、本発明の好ましい実施形態について説明したが、本発明は、これらの実施形態に限定されず、その要旨の範囲内で種々の変形および変更が可能である。
【符号の説明】
【０１０６】
１００    画像表示装置
３０１    ページ構造解析部
３０３    表示設定決定部
３０６    自動再生部
【図３】
2017037159.tif 000003
【図４】
2017037159.tif 000004
【図６】
2017037159.tif 000005
【図７】
2017037159.tif 000006
【図８】
2017037159.tif 000007
【図９】
2017037159.tif 000008
【図１０】
2017037159.tif 000009
【図１１】
2017037159.tif 000010
【図１２】
2017037159.tif 000011
【図１】
2017037159.tif 000012
【図２】
2017037159.tif 000013
【図５】
2017037159.tif 000014
【図１３】
2017037159.tif 000015